(57)【要約】【課題】ネットワークへの接続効率の向上を図ることができる携帯端末を実現する。【解決手段】記憶部１４には起動時のネットワークの決定に必要なネットワーク情報と作動時のネットワークに関する通信履歴情報が記憶される。制御部１３は記憶部１４の通信履歴情報に基づいて記憶部１４のネットワーク情報を更新する。【選択図】    図１
2004297480.tif 000002
【特許請求の範囲】
【請求項１】
起動時のネットワークの決定に必要なネットワーク情報を予め記憶するネットワーク情報記憶手段と、
作動時のネットワークに関する通信履歴情報を記憶する通信履歴情報記憶手段と、
該通信履歴情報に基づいて、前記ネットワーク情報記憶部のネットワーク情報を更新するネットワーク情報更新手段と、
を有する携帯端末。
【請求項２】
前記ネットワーク情報更新手段が、ネットワーク側から特定のネットワーク情報の変更を指示されたときに、前記ネットワーク情報記憶手段に記憶された前記特定のネットワーク情報を更新する請求項１に記載された携帯端末。
【請求項３】
無線環境情報を記憶する無線環境情報記憶手段と、
作動時の無線環境情報を検出する無線環境情報検出手段と、
接続しているネットワークから他のネットワークへの転送が生じたときに、前記無線環境情報検出手段により検出した無線環境情報を前記無線環境情報記憶手段から検索し、検索した情報に基づいてネットワークの切り替えを行うネットワーク切換手段と、
を有する請求項１または請求項２に記載された携帯端末。
【発明の詳細な説明】
【０００１】
【発明の属する技術分野】
本発明は、ローミング情報と呼ばれるネットワーク情報に基づいて接続先のネットワークを決定する携帯端末に関する。
【０００２】
【従来の技術】
近年、次世代の高速無線通信方式としてｃｄｍａ２０００  １ｘ−ＥＶ  ＤＯ方式が開発されている。上記ｃｄｍａ２０００  １ｘ−ＥＶ  ＤＯ方式は、Ｑｕａｌｃｏｍｍ社によるｃｄｍａ２０００  １ｘの拡張方式であるＨＤＲ（Ｈｉｇｈ  Ｄａｔａ  Ｒａｔｅ）方式を標準化した方式として、電波産業界ＡＲＩＢにおいてＳｔｄ．Ｔ−６４  １Ｓ−２０００  Ｃ．Ｓ．００２４“ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ”で標準化されているもので、現在国内ではＫＤＤＩ社によりサービスされているｃｄｍａＯｎｅ方式（国内ではＡＲＩＢ  Ｔ−５３、北米、韓国等ではＥＩＡ／ＴＩＡ／ＩＳ−９５等）を拡張し、第３世代方式（３Ｇ）に対応させたｃｄｍａ２０００  １ｘ方式を更にデータ通信に特化して通信速度を改善することを目的とした方式である。なお、ｃｄｍａ２０００  ｌｘ−ＥＶ  ＤＯにおいて、ＥＶはＥｖｏｌｕｔｉｏｎ、ＤＯはＤａｔａ  ｏｎｌｙの意である。
【０００３】
ｃｄｍａ２０００  １ｘ−ＥＶ  ＤＯ方式では、携帯端末から受信した受信状態を通知する情報に基づいて、基地局が当該端末へ送信するデータの変調方式を切り替えることにより、当該端末の受信状態が良好な時は誤り耐性が低いが高速な通信レート、受信状態が悪いときは低速だが誤り耐性の高い通信レートを使用することが可能となる。
【０００４】
また、ｃｄｍａ２０００  １ｘ−ＥＶ  ＤＯ方式の下り方向（基地局から携帯端末への方向）では、時間を１／６００秒単位で分割し、その時間内では一つの携帯端末だけとの通信を行い、通信相手の携帯端末を時間により切り替えることにより複数の携帯端末と通信を行う、時分割多重アクセス（ＴＤＭＡ；ｔｉｍｅ  ｄｉｖｉｓｉｏｎ  ｍｕｌｔｉｐｌｅｘ  ａｃｃｅｓｓ）を採用している。これにより、常に、個々の携帯端末に対して最大の電力を持ってデータ送信を行うことが可能となり、携帯端末間で行うデータ通信を最速の通信速度で行うことができる。
【０００５】
従来の無線通信システムでは、携帯端末は、システムリダイレクション時やハンドオフ時などに、ネットワーク側からの指示でネットワークシステムとの接続方法を変えている。しかし、電源ＯＮ直後の起動時やネットワークシステム喪失時などには、ネットワークシステムに接続していないため、ネットワーク側からの指示は来ない。このような時のために、携帯端末は、最初にネットワークシステムに接続するときに使用する情報（ローミング情報と称されている）、例えばネットワークシステムの無線通信規格、使用する無線チャネル番号に関する情報を、不揮発性メモリに保存している。そして、先ず、このローミング情報に含まれているネットワークシステムと接続するようになっている。
【０００６】
【特許文献１】
特開２０００−１１５８５１号公報
【０００７】
【発明が解決しようとする課題】
上記したローミング情報は、通常、通信キャリアが決めた静的な情報として管理されている。このため、複数の仕様のネットワークシステムが混在し、ネットワークの構成が頻繁に変更されるような環境では、通信キャリアによって予め携帯端末に設定されているローミング情報の内容と適切な接続先のネットワークシステムの仕様とが一致しなくなる。このようなとき、従来の携帯端末では、先ず自己のローミング情報に合致する仕様のネットワークシステムと接続し、この後、適切な別のネットワークシステムにリダイレクションしてもらう必要がある。このため、ネットワークリソースの使用効率が低下するという問題がある。
【０００８】
また、通常、携帯端末は、ネットワークシステムに接続後、ネットワーク側から近隣のネットワークシステムに関する情報を取得する。携帯端末は、この情報に基づいてアイドルハンドオフを行う。しかし、その通信キャリアからのローミング情報に含まれるネットワークシステムの通信品質が悪い場合には、携帯端末は、しばらくしてから別のネットワークシステムにアイドルハンドオフすることになる。この結果、携帯端末が電源ＯＮしてから、良好なネットワークシステムと接続して安定した通信ができるようになるまでに余計な時間がかかり好ましくない。
【０００９】
本発明は、このような事情を考慮してなされたもので、その目的は、ネットワークへの接続効率の向上を図ることができる携帯端末を提供することにある。
【００１０】
【課題を解決するための手段】
上記の課題を解決するために、請求項１に記載の携帯端末は、起動時のネットワークの決定に必要なネットワーク情報を予め記憶するネットワーク情報記憶手段と、作動時のネットワークに関する通信履歴情報を記憶する通信履歴情報記憶手段と、該通信履歴情報に基づいて、前記ネットワーク情報記憶部のネットワーク情報を更新するネットワーク情報更新手段とを有するものである。
【００１１】
請求項２に記載の携帯端末においては、前記ネットワーク情報更新手段が、ネットワーク側から特定のネットワーク情報の変更を指示されたときに、前記ネットワーク情報記憶手段に記憶された前記特定のネットワーク情報を更新するものである。
【００１２】
請求項３に記載の携帯端末においては、無線環境情報を記憶する無線環境情報記憶手段と、作動時の無線環境情報を検出する無線環境情報検出手段と、接続しているネットワークから他のネットワークへの転送が生じたときに、前記無線環境情報検出手段により検出した無線環境情報を前記無線環境情報記憶手段から検索し、検索した情報に基づいてネットワークの切り替えを行うネットワーク切換手段とをさらに有するものである。
【００１３】
【発明の実施の形態】
以下、図面を参照し、本発明の一実施形態について説明する。本発明の携帯端末としては、携帯電話機や、ＰＤＡ（Ｐｅｒｓｏｎａｌ  Ｄｉｇｉｔａｌ  Ａｓｓｉｓｔａｎｔｓ：個人用情報機器）と称される携帯型の端末も含むものとする。
図１は、本発明の一実施形態による携帯端末１の構成を示すブロック図である。図１において、携帯端末１は、アンテナ１１と無線部１２と制御部１３と記憶部１４と表示部１５と操作部１６と音声入出力部１７とを備える。
【００１４】
無線部１２は、アンテナ１１を介して無線基地局との間で無線信号を送受信する。制御部１３は無線部１２により送受信される信号を処理するとともに、携帯端末１の各部を制御する。記憶部１４は、制御部１３によりアクセスされ、各種データを記憶する。表示部１５は液晶表示パネルおよび表示制御回路から構成される。操作部１６はテンキー、各種ファンクションキー等の入力キーから構成される。音声入出力部１７はマイク及びスピーカから構成される。
【００１５】
記憶部１４にはローミング情報（ネットワーク情報）の初期値が予め記憶されている。図２は、ローミング情報の初期値の例を示す図である。このローミング情報の初期値は、通信キャリアが携帯端末１の製造時に静的情報として設定するものである。または、通信キャリアが無線通信ネットワーク経由で各携帯端末１に設定するものである（ＯＴＡＳＰ機能）。
【００１６】
ローミング情報には、図２に示すように、捕捉すべきネットワークシステムの候補毎に、システム情報と、そのシステムの優先度と、それらシステム間の関係についての情報（地理的エリア）と、付加情報などが含まれる。システム情報は、そのシステムが使用する通信規格とバンドクラス（周波数帯）とチャネル番号などで構成される。付加情報とは、当該システム候補のローミング情報の設定に係る情報である。例えば、通信キャリアにより設定された情報であるのか、あるいは動的に更新されたものであるのかを区別するための情報や、優先度が変更された場合の変更前の優先度の情報などが含まれる。
【００１７】
制御部１３は、電源ＯＮ直後の起動時やネットワークシステム喪失時に、捕捉すべきネットワークシステムを決定するための情報として、ローミング情報を使用する。図２のローミング情報を使用して最初に捕捉すべきネットワークシステムの決定を行う場合、優先度の高いシステムから低いシステムへと、システムＡ、システムＤ、システムＢ、システムＣ、システムＥの順にシステムの捕捉を行う。これにより、ローミング情報に一致しているいずれかのシステムが捕捉される。
【００１８】
また、制御部１３（ネットワーク情報更新手段）は、ローミング情報を動的に更新する機能を有する。以下、このローミング情報の更新動作について順次詳細に説明する。
初めに、図３、図４を参照して、第１のローミング情報更新に係る動作を説明する。図３、図４は、制御部１３が行う第１のローミング情報更新処理の流れを示すフローチャートである。この第１のローミング情報更新処理は、ネットワーク側からのリダイレクション指示を受信した場合に、ローミング情報を更新するためのものである。例えば、通信キャリアがネットワーク構成を変更して、新たに東京都地域にシステムＦ（１ｘＥＶＤＯ、バンドクラス６、６００ｃｈ）を追加した場合を考える。ここで、通信キャリアは、システムＦを追加したとき、携帯端末１のローミング情報を変更しない。そして、携帯端末１がシステムＡ，Ｂ，Ｃ（図２参照）のいずれかのシステムと接続した後、通信キャリアはネットワーク側から必要に応じてシステムＦへのリダイレクションを携帯端末１に指示する。このリダイレクション指示により、携帯端末１は、自己のローミング情報に対して、リダイレクション指示による情報を追加する。
【００１９】
図３において、制御部１３は、記憶部１４のローミング情報に含まれるいずれかのシステムを捕捉する。次いで、自端末に対するリダイレクション指示のメッセージを受信すると、制御部１３は、記憶部１４に格納している当該リダイレクション先システム用のリダイレクションカウンタ値（通信履歴情報記憶手段）に１加算する（ステップＳ１０２）。このカウンタ値が所定の閾値（Ｘ）を超えた場合にはステップＳ１０４へ進み、「リダイレクションによるローミング情報追加処理」を実行する。一方、カウンタ値が閾値（Ｘ）を超えない場合には処理を終了する。また、システム捕捉後、全端末に対するリダイレクション指示のメッセージを受信すると（ステップＳ１０５）、制御部１３はステップＳ１０４へ進む。
【００２０】
次いで、図４において、制御部１３は、先ず、追加するリダイレクション先システムがローミング情報の初期値に含まれる現行システムと同じ地理的エリアで既に登録済みであるか否かを判断する（ステップＳ１１１）。この判断が「ＹＥＳ（登録済み）」の場合には、追加するリダイレクション先システムについて、ローミング情報の初期値の優先度を付加情報にバックアップする（ステップＳ１１２）。
【００２１】
次いで、追加するリダイレクション先システムについて、リダイレクションにより追加されたシステムであることを示すフラグを付加情報に設定する（ステップＳ１１３）。次いで、リダイレクション先システムのシステム情報及び付加情報を現行システムと同じ地理的エリアで高い優先度で記憶部１４に記憶させる（ステップＳ１１４）。次いで、同じ地理的エリアに同じシステムが登録されている場合には、優先度が低いものを記憶部１４から削除し、処理を終了する（ステップＳ１１５）。
【００２２】
上記第１のローミング情報更新処理により、携帯端末１のローミング情報にリダイレクションシステムの情報が、自携帯端末に対するリダイレクション回数（通信履歴情報）または全端末へのリダイレクション指示情報（通信履歴情報）に基づいて追加される。例えば、通信キャリアがネットワーク構成を変更して新たに東京都地域にシステムＦ（１ｘＥＶＤＯ、バンドクラス６、６００ｃｈ）を追加した場合、携帯端末１がシステムＢを捕捉しているときに、システムＦへのリダイレクション指示を受け取ると、図２のローミング情報は図５に示す内容に更新される。次いで、システムＦを捕捉しているときに、システムＣへのリダイレクション指示を受け取ると、図５のローミング情報は図６に示す内容に更新される。
【００２３】
次に、図７、図８を参照して、第２のローミング情報更新に係る動作を説明する。図７、図８は、制御部１３が行う第２のローミング情報更新処理の流れを示すフローチャートである。この第２のローミング情報更新処理は、ネットワーク側からのアイドルハンドオフ先の近隣システムの指定を受けた場合に、ローミング情報を更新するためのものである。例えば、通信キャリアがネットワーク構成を変更して新たに東京都地域にシステムＦ（１ｘＥＶＤＯ、バンドクラス６、６００ｃｈ）を追加した場合を考える。ここで、通信キャリアは、システムＦを追加したとき、携帯端末１のローミング情報を変更しない。そして、携帯端末１がシステムＡ，Ｂ，Ｃ（図２参照）のいずれかのシステムと接続した後、通信キャリアはネットワーク側から必要に応じてシステムＦをアイドルハンドオフ先の近隣システムとして携帯端末１に指定する。このアイドルハンドオフ先の近隣システムの指定により、携帯端末１は、自己のローミング情報に対して、近隣システム指定による情報を追加する。
【００２４】
図７において、制御部１３は、記憶部１４のローミング情報に含まれるいずれかのシステムを捕捉する。次いで、近隣システム指示メッセージを受信すると（ステップＳ２０１）、制御部１３は、該メッセージに含まれる各近隣システムについて、「近隣システム指定によるローミング情報追加処理」を実行する（ステップＳ２０２）。
【００２５】
次いで、図８において、制御部１３は、先ず、追加する近隣システムがローミング情報の初期値に含まれる現行システムと同じ地理的エリアで既に登録済みであるか否かを判断する（ステップＳ２１１）。この判断が「ＹＥＳ（登録済み）」の場合には、当該近隣システムの情報を追加せず、処理を終了する（ステップＳ２１２）。
【００２６】
一方、ステップＳ２１１の判断が「ＮＯ」の場合には、追加する近隣システムについて、近隣システム指定により追加されたシステムであることを示すフラグを付加情報に設定する（ステップＳ２１３）。次いで、近隣システムのシステム情報及び付加情報を現行システムと同じ地理的エリアで同じ優先度で記憶部１４に記憶させる（ステップＳ２１４）。次いで、同じ地理的エリアに同じシステムが登録されている場合には、優先度が低いものを記憶部１４から削除し、処理を終了する（ステップＳ２１５）。
【００２７】
上記第２のローミング情報更新処理により、携帯端末１のローミング情報に近隣システム指定されたシステムの情報がネットワーク側からの該指定指示に基づいて追加される。例えば、通信キャリアがネットワーク構成を変更して新たに東京都地域にシステムＦ（１ｘＥＶＤＯ、バンドクラス６、６００ｃｈ）を追加した場合、携帯端末１がシステムＢを捕捉しているときに、システムＦが近隣システムに指定されると、図２のローミング情報は図９に示す内容に更新される。
【００２８】
次に、図１０、図１１を参照して、第３のローミング情報更新に係る動作を説明する。図１０、図１１は、制御部１３が行う第３のローミング情報更新処理の流れを示すフローチャートである。この第３のローミング情報更新処理は、無線環境に基づいてローミング情報を更新するためのものである。例えば、優先度が等しいシステムの中で、特に平均使用時間が長い、または、平均電波状態がよいシステムについてはその優先度を少しだけ上げる。一方、特に平均使用時間が短い、または、平均電波状態が悪いシステムについてはその優先度を少しだけ下げる。
【００２９】
先ず、無線環境に基づいて優先度を格上げする動作を説明する。
図１０において、制御部１３は、記憶部１４のローミング情報に含まれる同じ地理的エリアで同じ優先度の各システムについて、その使用時間と電波品質を記憶部１４に記憶させておき、最近のｎ時間内における総使用時間と平均電波品質を集計する（ステップＳ３０１）。次いで、上記各システムの総使用時間の平均値に所定値（Ｘ）を加算した値を超える総使用時間であるシステムが、存在するか否かを判断する（ステップＳ３０２）。この判断の結果が「ＹＥＳ（存在する）」の場合にはステップＳ３０４へ進み、「ＮＯ」の場合にはステップＳ３０３へ進む。
【００３０】
ステップＳ３０３では、上記各システムの平均電波品質の平均値に所定値（Ｘ）を加算した値を超える平均電波品質、であるシステムが、存在するか否かを判断する。この判断の結果が「ＹＥＳ（存在する）」の場合にはステップＳ３０４へ進み、「ＮＯ」の場合にはステップＳ３０５へ進む。
【００３１】
ステップＳ３０４では、上記ステップＳ３０２またはＳ３０３の条件を満たすシステムの優先度を少しだけ上げ、処理を終了する。例えば、優先度が「中」の場合に該優先度を「中の上」に変更する。
ステップＳ３０５では、優先度の変更は行わず、処理を終了する。
【００３２】
次に、無線環境に基づいて優先度を格下げする動作を説明する。
図１１において、制御部１３は、記憶部１４のローミング情報に含まれる同じ地理的エリアで同じ優先度の各システムについて、その使用時間と電波品質を記憶部１４に記憶させておき、最近のｎ時間内における総使用時間と平均電波品質を集計する（ステップＳ４０１）。次いで、上記各システムの総使用時間の平均値から所定値（Ｘ）を減算した値未満の総使用時間、であるシステムが、存在するか否かを判断する（ステップＳ４０２）。この判断の結果が「ＹＥＳ（存在する）」の場合にはステップＳ４０４へ進み、「ＮＯ」の場合にはステップＳ４０３へ進む。
【００３３】
ステップＳ４０３では、上記各システムの平均電波品質の平均値から所定値（Ｘ）を減算した値未満の平均電波品質、であるシステムが、存在するか否かを判断する。この判断の結果が「ＹＥＳ（存在する）」の場合にはステップＳ４０４へ進み、「ＮＯ」の場合にはステップＳ４０５へ進む。
【００３４】
ステップＳ４０４では、上記ステップＳ４０２またはＳ４０３の条件を満たすシステムの優先度を少しだけ下げ、処理を終了する。例えば、優先度が「中」の場合に該優先度を「中の下」に変更する。
ステップＳ４０５では、優先度の変更は行わず、処理を終了する。
【００３５】
上記第３のローミング情報更新処理により、携帯端末１のローミング情報に含まれる優先度が無線環境に基づいて更新される。例えば、図９のローミング情報に含まれる、東京都エリア且つ優先度「中」であるシステムＢ，Ｆについて、システムＦの総使用時間が、（（システムＢの総使用時間＋システムＦの総使用時間）÷２）よりも、所定値（Ｘ）分だけ多かった場合、図１２に示すように、システムＦの優先度は「中の上」に格上げされ、システムＢの優先度は「中の下」に格下げされる。この場合、システムＢの情報は、ローミング情報の初期値であるので、更新前の元の優先度を付加情報にバックアップする。
【００３６】
これにより、制御部１３（無線環境情報検出手段、ネットワーク切換手段）は、過去にアイドルハンドオフしたときの無線環境に対応するシステムの優先度が格下げされているので、該アイドルハンドオフしたときの無線環境を記憶部１４（無線環境情報記憶手段）に記憶させておき、同じような無線環境に居ることが分かったら、すぐに無線品質の悪い現行のネットワークシステムから別のネットワークシステムへ接続を切り換える。この結果、携帯端末が電源ＯＮしてから安定して通信できるようになるまでの時間が短縮できる。
【００３７】
次に、図１３を参照して、第４のローミング情報更新に係る動作を説明する。図１３は、制御部１３が行う第４のローミング情報更新処理の流れを示すフローチャートである。この第４のローミング情報更新処理は、動的にローミング情報に追加されたシステムの情報を削除するためのものである。
図１３において、制御部１３は、電源ＯＮ直後の起動時やネットワークシステム喪失時のシステム決定動作において、捕捉に失敗した全てのシステムに対してその付加情報に捕捉失敗マークを設定する（ステップＳ５０１）。次いで、最終的にシステムの捕捉が成功した時に、該捕捉成功のシステムと同じ地理的エリアの全システムについて、捕捉失敗マークの有無をチェックする（ステップＳ５０２）。次いで、記憶部１４に格納している捕捉失敗カウンタ値（通信履歴情報記憶手段）のうち、捕捉失敗マークありの各システム用の捕捉失敗カウンタ値にそれぞれ１加算する（ステップＳ５０３）。次いで、動的にローミング情報に追加されたシステム（付加情報にリダイレクション追加、又は、近隣システム追加が設定済みのシステム）用の捕捉失敗カウンタ値が所定の閾値（Ｘ）を超えたか否かを判断する（ステップＳ５０４）。この判断結果が「ＹＥＳ（閾値超過）」の場合には、当該システムの情報をローミング情報から削除する（ステップＳ５０５）。
【００３８】
上記第４のローミング情報更新処理により、携帯端末１のローミング情報に動的に追加されたシステムの情報が、捕捉失敗回数（通信履歴情報）に基づいて削除される。
【００３９】
上述したように本実施形態によれば、携帯端末の過去の通信履歴に基づいてローミング情報が動的に変更されるので、ローミング情報の内容はネットワーク構成の変更内容に追随する。これにより、電源ＯＮ直後の起動時やネットワークシステム喪失時のシステム決定動作において、適切なネットワークシステムに直接接続することが可能となる。この結果として、ネットワークリソースの使用効率の低下が防止され、ネットワークへの接続効率が向上する。
【００４０】
また、過去のリダイレクション回数が保持され、該リダイレクション回数がネットワーク側からリダイレクションされる条件（リダイレクション回数が所定回数超過）を満たした場合に、当該リダイレクション先システムの情報がローミング情報に追加されるので、ネットワーク側からリダイレクションされる前に、先にリダイレクションすることができる。
【００４１】
また、無線環境に基づいて優先度が更新されるので、実際の無線環境に適したネットワークシステムに優先的に接続することができる。これにより、電源ＯＮしてから、良好なネットワークシステムと接続して安定した通信ができるようになるまでの時間が短縮される。
【００４２】
以上、本発明の実施形態を図面を参照して詳述してきたが、具体的な構成はこの実施形態に限られるものではなく、本発明の要旨を逸脱しない範囲の設計変更等も含まれる。
【００４３】
【発明の効果】
以上説明したように、本発明によれば、携帯端末の過去の通信履歴に基づいてネットワーク情報（ローミング情報）が動的に変更されるので、携帯端末が保持するネットワーク情報の内容はネットワーク構成の変更内容に追随する。これにより、電源ＯＮ直後の起動時やネットワークシステム喪失時のシステム決定動作において、適切なネットワークシステムに直接接続することが可能となり、この結果としてネットワークへの接続効率が向上する。
【図面の簡単な説明】
【図１】本発明の一実施形態による携帯端末１の構成を示すブロック図である。
【図２】ローミング情報の初期値の例を示す図である。
【図３】制御部１３が行う第１のローミング情報更新処理の流れを示すフローチャートである。
【図４】制御部１３が行う第１のローミング情報更新処理の流れを示すフローチャートである。
【図５】更新後のローミング情報の例を示す図である。
【図６】更新後のローミング情報の例を示す図である。
【図７】制御部１３が行う第２のローミング情報更新処理の流れを示すフローチャートである。
【図８】制御部１３が行う第２のローミング情報更新処理の流れを示すフローチャートである。
【図９】更新後のローミング情報の例を示す図である。
【図１０】制御部１３が行う第３のローミング情報更新処理の流れを示すフローチャートである。
【図１１】制御部１３が行う第３のローミング情報更新処理の流れを示すフローチャートである。
【図１２】更新後のローミング情報の例を示す図である。
【図１３】制御部１３が行う第４のローミング情報更新処理の流れを示すフローチャートである。
【符号の説明】
１…携帯端末、１１…アンテナ、１２…無線部、１３…制御部、１４…記憶部、１５…表示部、１６…操作部、１７…音声入出力部
【図１】
2004297480.tif 000003
【図２】
2004297480.tif 000004
【図３】
2004297480.tif 000005
【図４】
2004297480.tif 000006
【図５】
2004297480.tif 000007
【図６】
2004297480.tif 000008
【図７】
2004297480.tif 000009
【図８】
2004297480.tif 000010
【図９】
2004297480.tif 000011
【図１０】
2004297480.tif 000012
【図１１】
2004297480.tif 000013
【図１２】
2004297480.tif 000014
【図１３】
2004297480.tif 000015